(57)【要約】本書は、ＧＳＭ（登録商標）（モバイル通信用グローバルシステム）ネットワーク等、デジタルセルラー電気通信システムに関する。特に、本書は、移動局（ＭＳ）、基地局システム（ＢＳＳ）、および／またはそのようなデジタルセルラー電気通信システムのモバイル交換局（ＭＳＣ）において実装される、無線サブシステムリンク制御に関する。マルチＲＡＴ移動局の近傍リソースに関する測定報告を準備する方法が、説明される。ＭＳは、複数の無線アクセス技術（ＲＡＴ）をサポートする。方法は、複数のＲＡＴリソース報告値を受信することであって、各ＲＡＴリソース報告値が、測定報告内に含まれるべき対応するＲＡＴの数を示すことと、複数のＲＡＴに関連付けられた有効近傍リソースの複数のリストを決定することと、複数のＲＡＴのＲＡＴ順序に従って、測定報告内に有効近傍リソースの複数のリストからリソースを含むこととを含む。
2013543356.tif 000002
【特許請求の範囲】
【請求項１】
マルチＲＡＴ移動局（ＭＳと称す、１００）の近辺におけるネットワークリソース（リソースと称す）に関する測定報告を準備する方法（２００）であって、前記ＭＳ（１００）は、複数の無線アクセス技術（ＲＡＴと称す）をサポートし、
前記方法（２００）は、
−複数のＲＡＴリソース報告値を受信することであって、各ＲＡＴリソース報告値は、前記測定報告内に含まれるべき対応するＲＡＴのリソースの数を示す、ことと、
−前記複数のＲＡＴに関連付けられた有効近傍リソースの複数のリストを決定すること（２０５）と、
−前記複数のＲＡＴのＲＡＴ順序に従って、前記測定報告内に有効近傍リソースの前記複数のリストからのリソースを含めること（２０８）と
を含み、
前記ＲＡＴリソース報告値がゼロより大きい前記複数のＲＡＴの各々に対して、所与のＲＡＴの第２のリソースが、第１のリソースを含めることを条件として、前記報告内に含められる、方法（２００）。
【請求項２】
−近傍リソースの複数のリストの前記リソースの各々に対する少なくとも１つの測定量を決定すること（２０４）をさらに含み、
近傍リソースの前記複数のリストは、前記ＭＳによってサポートされる前記複数のＲＡＴに対応し、リソースの前記少なくとも１つの測定量のタイプは、前記ＲＡＴに依存し、前記ＭＳとそれぞれのリソースとの間の接続の質を示す、請求項１に記載の方法（２００）。
【請求項３】
有効近傍リソースの前記複数のリストは、近傍リソースの対応するリストから決定され、有効近傍リソースの前記複数のリストにおける各リソースに対して、前記決定される少なくとも１つの測定量は、少なくとも１つの閾値を上回り、前記少なくとも１つの閾値は、前記ＲＡＴに依存する、請求項２に記載の方法（２００）。
【請求項４】
−前記リソースに対して決定された前記少なくとも１つの測定量に従って、有効近傍リソースの前記複数のリスト内で前記リソースをランク付けすることをさらに含み、
前記報告内に含まれる前記リソースは、有効近傍リソースのそれらそれぞれのリストの中の最高ランク付けのリソースに対応する、請求項３に記載の方法（２００）。
【請求項５】
リソースの前記少なくとも１つの測定量は、前記リソースを使用して前記ＭＳを動作させる場合に達成される信号対雑音比および／または信号強度を示す、請求項２から４のいずれかに記載の方法（２００）。
【請求項６】
−前記ＲＡＴ順序は、前記複数のＲＡＴをそれぞれの複数のＲＡＴリソース報告値に従ってランク付けすることによって決定される、請求項１〜請求項５のいずれかに記載の方法（２００）。
【請求項７】
前記含めること（２０８）は、
−ＲＡＴリソース報告値を有する前記複数のＲＡＴからの特定のＲＡＴに対して、前記報告内に有効近傍リソースの関連付けられたリストの中の１つのリソースを含めることを含み、前記ＲＡＴリソース報告値は、前記報告内に既に含まれている前記特定のＲＡＴのリソースの数より大きい、請求項１〜請求項６のいずれかに記載の方法（２００）。
【請求項８】
前記含めること（２０８）は、
−前記ＲＡＴ順序に従って、前記複数のＲＡＴから現在のＲＡＴを選択することと、
−前記報告内に既に含まれている前記現在のＲＡＴのリソースの数が、前記現在のＲＡＴのＲＡＴリソース報告値よりも小さい場合、前記報告内に前記現在のＲＡＴに関連付けられた前記複数の有効リソースからの１つのリソースを含めることと
を含む、請求項１〜請求項７のいずれかに記載の方法（２００）。
【請求項９】
前記含めること（２０８）は、
反復であって、前記反復中、複数のＲＡＴの各ＲＡＴに対して１つのリソースが前記報告内に含められ、各ＲＡＴに対して、前記報告内に既に含まれているリソ−スの数が、それぞれのＲＡＴリソース報告値よりも小さい、反復を条件として、さらに反復を行うことをさらに含む、請求項８に記載の方法（２００）。
【請求項１０】
前記ＭＳは、前記測定報告内に含まれるべきリソースの総数を示す最大ＲＡＴリソース報告値をさらに備え、前記最大ＲＡＴリソース報告値は、１よりも大きい、請求項１〜請求項９のいずれかに記載の方法（２００）。
【請求項１１】
−前記測定報告内にリソースを含めることを条件として、前記報告内に含まれるリソースの総数を決定することと、
−前記リソースの総数が前記最大ＲＡＴリソース報告値に対応する場合、または、各ＲＡＴに対して、前記報告内に含まれているリソースの数が、対応するＲＡＴリソース報告値と、有効近傍リソースの対応するリストの中のリソースの数とのうちの小さい方に対応する場合、前記含めること（２０８）を終了することと
をさらに含む、請求項１０に記載の方法（２００）。
【請求項１２】
前記ＭＳは、ＧＳＭ（登録商標）をサポートする、請求項１〜請求項１１のいずれかに記載の方法（２００）。
【請求項１３】
各ＲＡＴに対して、対応するＲＡＴリソース報告値と、有効近傍リソースの対応するリストの中のリソースの数とのうちの小さい方に対応する数のリソースを、前記報告内に含めることを条件として、前記測定報告内に有効ＧＳＭ（登録商標）セルを含めること（２０９）をさらに含む、請求項１０または請求項１１を引用する請求項１２に記載の方法（２００）。
【請求項１４】
−前記ＭＳにおいてＧＳＭ（登録商標）セルパラメータを受信することをさらに含み、前記ＧＳＭ（登録商標）セルパラメータは、前記報告内に含まれるべき有効ＧＳＭ（登録商標）セルの数を示す、請求項１２から１３のいずれかに記載の方法（２００）。
【請求項１５】
前記含めること（２０８）は、前記リソースの総数が、前記ＧＳＭ（登録商標）セルパラメータに従って減少される前記最大ＲＡＴリソース報告値に対応する場合、または、各ＲＡＴに対して、前記報告内に含まれているリソースの数が、対応するＲＡＴリソース報告値と、有効近傍リソースの対応するリストの中のリソースの数とのうちの小さい方に対応する場合、終了される、請求項１１を引用する請求項１４に記載の方法（２００）。
【請求項１６】
−前記測定報告内に含まれている前記リソースの総数が、前記最大ＲＡＴリソース報告値よりも小さいことを決定することと、
−前記測定報告内にさらなるリソースを含めること（２１０）であって、前記さらなるリソースは、０よりも大きいＲＡＴリソース報告値を有するＲＡＴに関連付けられている、ことと
をさらに含む、請求項１３から１５のいずれかに記載の方法（２００）。
【請求項１７】
前記さらなるリソースおよび任意の他のリソースは、前記ＲＡＴ順序に従って、前記複数のＲＡＴに関連付けられた有効近傍リソースの異なるリストから１つずつ含められる、請求項１６に記載の方法（２００）。
【請求項１８】
前記ＭＳ（１００）は、複数のＲＡＴ：ＵＴＲＡＮ−ＴＤＤ、ＵＴＲＡＮ−ＦＤＤ、Ｅ−ＵＴＲＡＮ、および／またはＣＤＭＡ２０００の任意の組み合わせをサポートする、請求項１〜請求項１７のいずれかに記載の方法。
【請求項１９】
−前記ＭＳ（１００）において、近傍リソースの前記複数のリストを受信すること（２００）、および／または、
−前記ＭＳ（１００）において、ＲＡＴに関連付けられた有効近傍リソースを決定し、前記決定された近傍リソースを有効近傍リソースの前記ＲＡＴのリストに加えること
をさらに含む、請求項１〜請求項１８のいずれかに記載の方法（２００）。
【請求項２０】
前記ネットワークリソースは、ネットワークセルおよび／または周波数である、請求項１〜請求項１９のいずれかに記載の方法（２００）。
【請求項２１】
マルチＲＡＴ移動局（ＭＳと称す、１００）の近辺におけるネットワークリソース（リソースと称す）に関する測定報告を準備する方法（２００）であって、前記ＭＳ（１００）は、複数の無線アクセス技術（ＲＡＴと称す）をサポートし、前記ＭＳ（１００）は、前記測定報告内に含まれるべきリソースの総数を示す最大ＲＡＴリソース報告値を備え、前記最大ＲＡＴリソース報告値は、１よりも大きく、
前記方法は、
−前記ＭＳ（１００）においてＧＳＭ（登録商標）セルパラメータを受信する（２０３）ことであって、前記ＧＳＭ（登録商標）セルパラメータは、前記報告内に含まれるべき有効ＧＳＭ（登録商標）セルの数を示す、ことと、
−前記測定報告内に前記複数のＲＡＴに関連付けられたある数のリソースを含めること（２０８、２１０）であって、前記数は、前記ＧＳＭ（登録商標）セルパラメータに従って減少される前記最大ＲＡＴリソース報告値以下である、ことと
を含む、方法（２００）。
【請求項２２】
−複数のＲＡＴをサポートすることと、
−請求項１から２１のいずれかに従って、前記ＭＳ（１００）の近辺におけるネットワークリソースに関する測定報告を準備することと
を行うように構成されているマルチＲＡＴ移動局（１００）。
【請求項２３】
コンピューティングデバイス上で実施されると、プロセッサ上で実行し、請求項１から請求項２１のいずれかに記載の方法を行うために適合されているソフトウェアプログラム。
【請求項２４】
コンピューティングデバイス上で実施されると、プロセッサ上で実行し、請求項１から請求項２１のいずれかに記載の方法を行うために適合されているソフトウェアプログラムを備えている記憶媒体。
【請求項２５】
コンピュータ上で実行されると、請求項１から請求項２１のいずれかに記載の方法を行うための実行可能命令を備えているコンピュータプログラム製品。
【発明の詳細な説明】
【技術分野】
【０００１】
本書は、ＧＳＭ（登録商標）（モバイル通信用グローバルシステム）ネットワーク等、デジタルセルラー電気通信システムに関する。特に、本書は、移動局（ＭＳ）、基地局システム（ＢＳＳ）および／またはそのようなデジタルセルラー電気通信システムのモバイル交換局（ＭＳＣ）において実装される、無線サブシステムリンク制御に関する。
【背景技術】
【０００２】
ＧＳＭ（登録商標）等、デジタルセルラー電気通信システムは、複数の基地局サブシステム（ＢＳＳ）を備え、基地局サブシステム（ＢＳＳ）は、典型的には、基地局コントローラ（ＢＳＣ）および１つ以上のベーストランシーバ基地局（ＢＴＳ）を備えている。各ＢＴＳは、ある地理的面積（セルと称される）内に、１つ以上の移動局（ＭＳ）に有効範囲を提供する。２地点間呼に従事される、または音声グループ呼に使用されるチャネルのアップリンクへのアクセスに従事される、ＭＳとして進行中の呼を維持するために、あるセル有効範囲面積から別の面積への通過、すなわち、あるＢＴＳから次のＢＴＳへのＭＳのハンドオーバが、採用され得る。さらに、ハンドオーバは、例えば、あるセルにおける輻輳の軽減に関して、ネットワーク管理要件を満たすために、採用され得る。
【０００３】
ハンドオーバは、１つのセル上の１つ以上のトラフィックチャネル（ＴＣＨ）から、近傍セル上の１つ以上のチャネルに生じ得る。代替として、ハンドオーバは、異なる周波数上で搬送される、同一セル上のチャネル間で生じ得る。マルチバンドＭＳの場合、ハンドオーバは、例えば、ＧＳＭ（登録商標）９００トラフィックチャネル（ＴＣＨ）とＤＣＳ  １  ８００ＴＣＨとの間等、異なる周波数上で搬送される、異なるセル上のチャネル間において可能にされ得る。マルチＲＡＴ（無線アクセス技術）ＭＳ、すなわち、ＧＳＭ（登録商標）、ＵＴＲＡＮ（ＵＭＴＳ地上波無線アクセスネットワーク）ＦＤＤ（周波数分割方式）、ＵＴＲＡＮ  ＴＤＤ（時間分割二重化）、Ｅ−ＵＴＲＡＮ（進化型ＵＴＲＡＮ）、ＣＤＭＡ（符号分割多重アクセス）２０００等、複数の無線アクセス技術をサポートするＭＳの場合、ハンドオーバは、ＧＳＭ（登録商標）と他の無線アクセス技術との間で可能にされ得る。
【０００４】
全体的ハンドオーバプロセスは、ＭＳ、ＢＳＳ、およびＭＳＣにおいて、実装され得る。無線サブシステムダウンリンクの性能および近傍セルから受信される信号レベルの測定は、ＭＳ内で行われ得る。これらの測定は、査定のためにＢＳＳに信号伝達され得る。ＢＳＳは、サービス提供されるＭＳのためのアップリンク性能を測定し得、そのアイドルトラフィックチャネル上の干渉の信号レベルを査定し得る。既定の閾値および所定のハンドオーバストラテジーと関連する測定の初期査定は、ＢＳＳにおいて行われ得る。ネットワーク内の他のＢＳＳまたは他の情報レジデント（例えば、ＭＳＣ）から生じる査定要求測定は、ＭＳＣまたはネットワーク管理構成要素において行われ得る。
【０００５】
したがって、ＭＳは、典型的には、例えば、そのサービス提供ＢＴＳを介して、ネットワークに定期測定報告を提供する。これらの測定報告は、近傍セルおよび／または近傍セル内でサービス提供される周波数に関する情報を提供する。これらの測定報告は、ダウンリンク性能およびＭＳの近辺内のセルの信号レベルに関する情報を提供する。マルチＲＡＴ  ＭＳは、近傍セルおよび／または、ＭＳによってサポートされる、無線アクセス技術の全部または一部に関連する、近傍セル内にサービス提供される周波数に関する十分な情報を備えている、測定報告を提供可能であるべきである。同時に、測定報告のデータサイズは、所定のレベルに保たれるべきであり、すなわち、測定報告のために要求される信号伝達オーバーヘッドは、所定のレベル以下に保たれるべきである。本書は、この技術的問題、すなわち、所定の制限される信号伝達オーバーヘッドにおいて、サポートされる無線アクセス技術の一部または全部の、近傍セルに関する測定報告をデジタルセルラー電気通信システムに提供する問題に対処する。
【０００６】
ＭＳによって提供されるハンドオーバプロセスおよび測定報告に関する詳細は、参照することによって組み込まれる、文書３ＧＰＰ  ＴＳ  ４５．００８  Ｖ９．４．０  Ｒａｄｉｏ  ｓｕｂｓｙｓｔｅｍ  ｌｉｎｋ  ｃｏｎｔｒｏｌに与えられる。特に、マルチＲＡＴ  ＭＳのための付加的セル報告要件に関して、上述の文書の第８．４．７項を参照する。
【発明の概要】
【課題を解決するための手段】
【０００７】
一側面によると、マルチＲＡＴ移動局（ＭＳ）の近辺に関するネットワークリソースに関する測定報告を準備する方法が、説明される。ＭＳは、セルラー電気通信ネットワーク内で動作され得る。ＭＳは、例えば、ＵＴＲＡＮ−ＴＤＤ、ＵＴＲＡＮ−ＦＤＤ、Ｅ−ＵＴＲＡＮ、および／またはＣＤＭＡ２０００の任意の組み合わせにおいて、複数の無線アクセス技術（ＲＡＴ）をサポートし得る。以下では、ＲＡＴの言及はまた、ＲＡＴモードの言及も含み得ることに留意されたい。デジタルセルラー電気通信ネットワークは、ＧＳＭ（登録商標）ネットワークであり得、ＭＳはさらに、ＧＳＭ（登録商標）をサポートし得る。一例として、ＭＳは、ＧＳＭ（登録商標）および１つ、２つ、３つ、４つ、５つ、または６つの他のＲＡＴあるいはＲＡＴモードをサポートし得る。特に、ＭＳは、そのネットワークリソースが報告内に含まれるであろう、少なくとも２つまたは少なくとも３つのＲＡＴをサポートし得る。典型的には、方法は、ＭＳ上で行われ、測定報告は、例えば、ネットワークのＢＳＳを介して、セルラー電気通信ネットワークに提供される。
【０００８】
方法は、複数のＲＡＴリソース報告値を提供する行為を含み得、各ＲＡＴリソース報告値は、測定報告内に含まれるべき対応するＲＡＴのリソースの数を示す。したがって、ＲＡＴリソース報告値は、対応するＲＡＴに対して報告されるべき、リソースの数に対する標的値を示す。ＲＡＴリソース報告値は、ＭＳにおいて利用可能であり得る。代替として、または加えて、ＲＡＴリソース報告値は、例えば、デジタルセルラー電気通信ネットワークから、ＭＳにおいて受信され得る。ある実施形態では、ネットワークは、ネットワークに接続された複数の移動局に、ＲＡＴリソース報告値をブロードキャストする。
ＲＡＴリソース報告値は、３ＧＰＰ  ＸＸＸ＿ＭＵＬＴＩＲＡＴ＿ＲＥＰＯＲＴＩＮＧパラメータであり得、ＸＸＸは、対応するＲＡＴを示す。ある実施形態では、所与のＲＡＴのＲＡＴリソース報告値は、１または２よりも大きい。
【０００９】
方法は、複数のＲＡＴに関連付けられた、有効近傍リソースの複数のリストを決定する行為を含み得る。近傍リソースは、例えば、ＧＳＭ（登録商標）、ＵＴＲＡＮ  ＴＤＤ、およびＵＴＲＡＮ  ＦＤＤにおいて使用されるような、ネットワークセルとして規定され得る。代替として、または加えて、近傍リソースは、例えば、Ｅ−ＵＴＲＡＮとして使用されるような、周波数として規定され得る。近傍セルは、ＭＳの近辺内のセルである。近傍周波数は、ＭＳの近辺におけるネットワークによって提供される、周波数である。ＭＳによってサポートされるＲＡＴ毎に、有効近傍リソースの対応するリストが、決定され得る。
【００１０】
有効近傍リソースの複数のリストを決定するのに先立って、方法は、近傍リソースの複数のリストの各リソースに対して、少なくとも１つの測定量を決定する行為を含み得る。近傍リソースの複数のリストは、ＭＳによってサポートされる、複数のＲＡＴに関連付けられ得、すなわち、近傍リソースの各リストは、特定のＲＡＴに関連付けられ得る。言い換えると、近傍リソースのリストのリソースは、同一ＲＡＴに関連付けられ得る。したがって、近傍リソースのリストは、特定のＲＡＴに応じて、近隣セルおよび／または近隣周波数のリストであり得る。近傍リソースのリストは、例えば、デジタルセルラー電気通信ネットワークから、ＭＳにおいて受信され得る。すなわち、ネットワークは、ＭＳの近辺における、異なるＲＡＴのリソースについて、ＭＳに通知し得る。代替として、または加えて、ＭＳは、ネットワークによって提供されない、近傍リソースの「ブラインド」検出を行うように構成され得る。検出される近傍リソースは、近傍リソースのそれぞれのリストに追加され得る。
【００１１】
少なくとも１つの測定量は、ＭＳとそれぞれのリソースとの間の接続の質を示し得る。特に、所与のリソースの少なくとも１つの測定量は、所与のリソースにおいてＭＳを動作させるときに達成される、信号対雑音比および／または信号強度を示し得る。所与のリソースの少なくとも１つの測定量のタイプは、所与のリソースに関連付けられたＲＡＴに依存し得る。言い換えると、異なるタイプの測定量が、異なるＲＡＴに対して定義され得る。一例として、異なるタイプの測定量が、ＵＴＲＡＮ  ＴＤＤに対してと、Ｅ−ＵＴＲＡＮに対して定義され得る。３ＧＰＰに照らした、異なるＲＡＴに対する測定量の異なるタイプについてのさらなる詳細は、本書の後半で説明されるであろう。
【００１２】
複数の近傍リソースのうちのリソースの決定された１つ以上の測定量を使用して、有効近傍リソースの複数のリストが、近傍リソースの対応するリストから決定され得る。特に、有効近傍リソースの複数のリストの各リストは、近傍リソースの複数のリストの対応するリストのサブセットであり得る。ある実施形態では、有効近傍リソースの複数のリストにおける各リソースは、リソースに対して決定される少なくとも１つの測定量が、少なくとも１つの閾値を超えるという基準を満たす。測定量のタイプと同様に、少なくとも１つの閾値は、ＲＡＴに依存し得、すなわち、閾値は、異なるＲＡＴに対して異なり得る。
【００１３】
方法は、複数のＲＡＴのＲＡＴ順序を決定する行為を含み得る。ＲＡＴ順序は、それぞれの複数のＲＡＴリソース報告値に従って、複数のＲＡＴをランク付けすることによって決定され得る。一例として、ＲＡＴは、その対応するＲＡＴリソース報告値の降順においてランク付けされ得る。したがって、ＲＡＴ順序は、ＭＳによってサポートされる複数のＲＡＴの間で、最高のＲＡＴリソース報告値を有するＲＡＴから開始し、最低のＲＡＴリソース報告値を有するＲＡＴで終了し得る。
【００１４】
方法は、ＲＡＴ順序に従って、測定報告内に有効近傍リソースの複数のリストから、リソースを含める行為を含み得る。リソースを含める行為は、報告内にリソース（例えば、リソースの少なくとも１つの測定量に関連付けられた情報）についての情報を含める行為を含み得ることに留意されたい。含めることは、ＲＡＴ順序に従って、行われ得、これは、リソースを含めることが、ＲＡＴ順序の第１のＲＡＴに関連付けられた有効近傍リソースのリストから開始され、続いて、ＲＡＴ順序の次のＲＡＴに関連付けられた有効近傍リソースの次のリストに継続する等と続くことを意味する。ある実施形態では、所与のＲＡＴの有効近傍リソースのリストから１つのみのリソースが、報告内に含まれ、続いて、次のリストの中の１つのリソースが、含まれ、次のリストは、ＲＡＴ順序の次のＲＡＴに関連付けられる等と続く。
【００１５】
含める行為は、複数のＲＡＴ毎に、測定報告内に、それに対するＲＡＴリソース報告値がゼロよりも大きい、第１のリソースを含むことを条件として、所与のＲＡＴの第２のリソースが報告内に含まれるように行われ得る。言い換えると、第１の反復の間、ゼロよりも大きいＲＡＴリソース報告値を有する、各ＲＡＴのある有効リソースが、報告内に含まれ得る。この含めることは、ＲＡＴ順序に従って実行され得る。第２の反復において、さらなるリソースが、１よりも大きいＲＡＴリソース報告値を有する、ＲＡＴに対する報告内に含まれ得る等と続く。
【００１６】
リソースを含める行為は、特定のＲＡＴが、報告内に既に含まれている、特定のＲＡＴのリソースの数よりも大きい、ＲＡＴリソース報告値を有する場合、複数のＲＡＴから特定のＲＡＴに対する報告内に有効近傍リソースのリストの中の１つのリソースを含める行為を含み得る。したがって、特定のＲＡＴに関連付けられたリソースは、リソース報告値に対応する数が報告内に含まれるまで、反復プロシージャにおいて、報告内に含まれてもよい。
【００１７】
含める行為は、ＲＡＴ順序に従って、複数のＲＡＴから現在のＲＡＴを選択する行為を含み得る。報告内に既に含まれている、現在のＲＡＴのリソースの数が、それぞれのＲＡＴリソース報告値よりも小さい場合、現在のＲＡＴに関連付けられた複数の有効リソースからのあるリソースは、報告内に含まれ得る。
【００１８】
含める行為は、その間、複数のＲＡＴのＲＡＴ毎に、以前報告内に含められたリソースの数が、それぞれのＲＡＴリソース報告値よりも小さい、あるリソースが、含められているという反復を条件として、さらに反復を行ってもよい。さらなる反復は、複数のＲＡＴのＲＡＴ毎に、報告内に含まれるリソースの数がＲＡＴリソース報告値に対応する時まで、あるいは有効近傍リソースのリストが任意の非報告リソースを備えている時まで、行われ得る。
【００１９】
方法は、リソースに対して決定される少なくとも１つの測定量に従って、有効近傍リソースの複数のリスト内に、リソースをランク付けする行為を含み得る。したがって、報告内に含まれるリソースは、有効近傍リソースのそれらそれぞれのリストの中の最高ランク付けリソースに対応し得る。言い換えると、各反復の間、ＲＡＴに対する残存最高ランク付けリソースは、報告内に含まれ得る。
【００２０】
方法は、測定報告内に含まれるべきリソースの総数を示す最大ＲＡＴリソース報告値を提供する行為を含み得る。最大ＲＡＴリソース報告値は、１（例えば、２、３、４、５、６、７、８、９、１０）よりも大きく、あるいは２、３、４、または５よりも、大きくてもよい。測定報告内にリソースを含めることを条件として、方法は、報告内に含まれるリソースの総数を決定し得る。リソースの総数が最大ＲＡＴリソース報告値に対応する場合、またはリソースの総数が複数のＲＡＴリソース報告値の合計に対応する場合、報告内にリソースを含める行為は終了され得、例えば、報告が完了される。  特定のＲＡＴの有効リソースの数が、対応する最大ＲＡＴリソース報告値よりも小さくなるということが生じ得る。したがって、含める行為を終了するためのさらなる「または（ｏｒ）」の代替および条件は、ＲＡＴ毎に、対応する報告内に含まれるリソースの数が、対応するＲＡＴリソース報告値および有効近傍リソースの対応するリスト内のリソースの数のより小さい方に対応するかどうかであり得る。
【００２１】
上述で示されるように、ネットワークは、ＧＳＭ（登録商標）ネットワークであり得る。そのような場合、方法は、ＲＡＴ毎に報告内に含まれるリソースの数が、対応するＲＡＴリソース報告値および有効近傍リソースの対応するリスト内のリソースの数のより小さい方に対応することを決定することを条件として、測定報告内に有効ＧＳＭ（登録商標）セル（有効リソースとして）を含める行為を含み得る。報告内に含まれるリソースの総数が、最大ＲＡＴリソース報告値よりも小さい場合、有効ＧＳＭ（登録商標）セルが、報告内に含まれ得る。他のＲＡＴリソースと同様に、有効ＧＳＭ（登録商標）セルは、ＧＳＭ（登録商標）特有測定量およびＧＳＭ（登録商標）特有閾値を使用して決定され得る。
【００２２】
方法は、報告内に含まれるべき有効ＧＳＭ（登録商標）セルの数を示すＧＳＭ（登録商標）セルパラメータを提供する行為を含み得る。ＧＳＭ（登録商標）セルパラメータは、報告されるべきＧＳＭ（登録商標）セルの最小数を示し得る。代替として、ＧＳＭ（登録商標）セルパラメータは、報告されるべき非ＧＳＭ（登録商標）セルの最大数を示し得る。ＧＳＭ（登録商標）セルパラメータが、ＭＳにおいて利用可能な時、最大ＲＡＴリソース報告値に対応するリソースの総数が、ＧＳＭ（登録商標）リソースパラメータに従って減少される場合、または上で述べられた他の条件が満たされた場合、ＲＡＴリソースの含めることは、終了され得る。
【００２３】
方法はさらに、測定報告内に含まれるリソースの総数が、最大ＲＡＴリソース報告値より小さいことを決定する行為を含み得る。そのような場合、さらなるＲＡＴリソースが、報告内に含められてもよい。特に、１つのさらなるリソースが、測定報告内に含められ得、さらなるリソースは、０よりも大きいＲＡＴリソース報告値を有するＲＡＴに関連付けられている。さらなるリソースおよび任意の他のさらなるリソースは、ＲＡＴ順序に従って複数のＲＡＴに関連付けられた有効近傍リソースの異なるリストから、１つずつ含められ得る。
【００２４】
さらなる側面によると、マルチＲＡＴ移動局の近辺におけるネットワークリソースに関する測定報告を準備する方法が、説明される。ＭＳは、セルラー電気通信ネットワークにおいて動作され得る。ＭＳは、上述に述べられたように、複数の無線アクセス技術をサポートし得る。さらに、ＭＳは、測定報告内に含まれるべきリソースの総数を示す最大ＲＡＴリソース報告値を備え得る。最大ＲＡＴリソース報告値は、例えば、ネットワークから、ＭＳにおいて受信されていてもよい。上で述べられたように、最大ＲＡＴリソース報告値は、１よりも大きくてもよい。
【００２５】
方法は、ＭＳにおいて、報告内に含まれるべき、有効ＧＳＭ（登録商標）セルの数を示す、ＧＳＭ（登録商標）セルパラメータを受信する行為を含み得る。さらに方法は、測定報告内に複数のＲＡＴに関連付けられたリソースの数を含めるステップを含み得、数は、ＧＳＭ（登録商標）セルパラメータに従って減少される最大ＲＡＴリソース報告値以下である。報告内にリソースを含める行為は、本書で述べられた側面のいずれかに従って行われ得る。
【００２６】
別の側面によると、マルチＲＡＴ移動局（ＭＳ）が、説明される。ＭＳは、例えば、ＢＳＳを介して、デジタルセルラー電気通信ネットワークと接続するように構成され得る。ＭＳは、複数のＲＡＴをサポートするように構成され得、本書で述べられる方法および側面のいずれかに従って、ＭＳの近辺におけるネットワークリソースに関する測定報告を準備するように構成され得る。さらに方法は、デジタルセルラー電気通信ネットワークに測定報告を提供するように構成され得る。
【００２７】
さらなる側面によると、ソフトウェアプログラムが、説明される。ソフトウェアプログラムは、コンピューティングデバイス上で実施される時、プロセッサ上で実行するために、ならびに本書で述べられる側面および特徴を行うために適合される命令として、コンピュータ可読媒体（有形または別様に非一過性であり得る）に記憶され得る。
【００２８】
別の側面によると、ソフトウェアプログラムを備えている記憶媒体が、説明される。記憶媒体は、メモリ（例えば、ＲＡＭ、ＲＯＭ等）、光学媒体、磁気媒体、および同等物であり得る。ソフトウェアプログラムは、コンピューティングデバイス上で実施される時、
プロセッサ上で実行するために、ならびに本書で説明される側面および特徴を行うために、適合され得る。
【００２９】
さらなる側面によると、コンピュータプログラム製品が、説明される。コンピュータプログラム製品は、コンピュータ上で実行される時、本書で述べられる側面および特徴を実行するための実行可能命令を備え得る。
【００３０】
本書で述べられるような、その好ましい実施形態を含む、方法およびシステムは、独立して、または本書に開示される他の方法およびシステムと組み合わせて、使用され得ることに留意されたい。さらに、本書で述べられる方法およびシステムの全ての側面は、適宜、組み合わせられ得る。特に、請求項の特徴は、任意の様式で相互に組み合わせ得る。
【図面の簡単な説明】
【００３１】
本書で述べられる側面は、付随の図面を参照して、例示的様式において以下に説明される。
【図１】図１は、測定報告内に含まれるべきＭＳの近傍セルを選択するための例示的方法の流れ図である。
【図２】図２は、移動局の例示的実装のブロック図である。
【図３】図３は、移動局および基地局を備えている、例示的ネットワークのブロック図である。
【発明を実施するための形態】
【００３２】
上で述べられるように、マルチＲＡＴ  ＭＳは、ＭＳによってサポートされるＲＡＴの一部または全部に関して、デジタルセルラー電気通信システムに、測定報告を提供することができるべきである。セルラー電気通信システムは、ＭＳによってサポートされる、無線アクセス技術および／または無線アクセスモードの一部または全部に対する、いわゆるＸＸＸ＿ＭＵＬＴＩＲＡＴ＿ＲＥＰＯＲＴＩＮＧパラメータを、ＭＳに提供し得る。本書では、異なるＲＡＴおよびＲＡＴモードを含むはずである、ＲＡＴを参照する。ＸＸＸ＿ＭＵＬＴＩＲＡＴ＿ＲＥＰＯＲＴＩＮＧパラメータにおけるＸＸＸは、特定の無線アクセス技術のためのプレースホルダであって、すなわち、ＸＸＸは、具体的無線アクセス技術および／またはＲＡＴモードを示す文字によって置換され、例えば、「ＦＤＤ」（ＵＴＲＡＮ  ＦＤＤの場合）、「ＴＤＤ」（ＵＴＲＡＮ  ＴＤＤの場合）、「ＣＤＭＡ２０００」（ＣＤＭＡ２０００の場合）、および「Ｅ−ＵＴＲＡＮ」（Ｅ−ＵＴＲＡＮの場合）である。一例として、Ｅ−ＵＴＲＡＮに関する具体的パラメータは、Ｅ−ＵＴＲＡＮ＿ＭＵＬＴＩＲＡＴ＿ＲＥＰＯＲＴＩＮＧである。パラメータＸＸＸ＿ＭＵＬＴＩＲＡＴ＿ＲＥＰＯＲＴＩＮＧは、値［０・・・３］をとることができる２ビット値であり得る。値「０」は、報告されることを必要とする、特定のＲＡＴに関連付けられた近傍セルがないことを示し、値「３」は、特定のＲＡＴに関連付けられた最大３の近傍セルが、報告されるべきであることを示す。
【００３３】
マルチＲＡＴ  ＭＳは、ＸＸＸ＿ＭＵＬＴＩＲＡＴ＿ＲＥＰＯＲＴＩＮＧパラメータの値によって示される、ＲＡＴの近傍セルリストからの最良の有効セルの数、またはＥ−ＵＴＲＡＮ近傍セルリストに含まれる周波数に対する最良の有効セルの数を報告するものとする。言い換えると、ＸＸＸ＿ＭＵＬＴＩＲＡＴ＿ＲＥＰＯＲＴＩＮＧパラメータは、ＭＳが、所与の無線アクセス技術に対する「０」から「３」の近傍セル、および／または近傍セル内に含まれる周波数を報告するべきであることを示す。
【００３４】
上で述べられるように、マルチＲＡＴ  ＭＳは、ＧＳＭ（登録商標）（例えば、ＧＳＭ（登録商標）およびＵＴＲＡＮ  ＦＤＤ、またはＧＳＭ（登録商標）、ＵＴＲＡＮ  ＦＤＤ、およびＥ−ＵＴＲＡＮ、またはＧＳＭ（登録商標）およびＣＤＭＡ２０００等）に加え、少なくとも１つの他の無線アクセス技術をサポートするＭＳである。一般的に言えば、マルチＲＡＴ  ＭＳは、ＧＳＭ（登録商標）と、ＵＴＲＡＮ  ＦＤＤ、ＵＴＲＡＮ  ＴＤＤ、Ｅ−ＵＴＲＡＮ、ＣＤＡＭ２０００等のうちの少なくとも１つとをサポートするＭＳである。マルチＲＡＴ  ＭＳは、適切なＸＸＸ＿ＭＵＬＴＩＲＡＴ＿ＲＥＰＯＲＴＩＮＧパラメータの値に従って、近傍セルリスト内に含まれる、各サポートされる他の（非ＧＳＭ（登録商標））無線アクセス技術／モードにおける最良の有効セルの数、またはＥ−ＵＴＲＡＮ近傍セルリスト内に含まれる周波数に対する最良の有効セルの数を報告するよう要求され得る。
【００３５】
近傍セルリスト、すなわち、Ｅ−ＵＴＲＡＮ近傍セルリスト（実際には、それぞれの近傍セル内に提供される周波数のリスト）、およびパラメータＸＸＸ＿ＭＵＬＴＩＲＡＴ＿ＲＥＰＯＲＴＩＮＧは、ネットワークによって、例えば、ＢＳＳを介してＭＳに提供される。上述の情報は、特定のＢＳＳによってサービス提供される、全ＭＳにブロードキャストされ得る。代替として、または加えて、情報は、特定のＭＳに、２地点間送信され得る。したがって、ネットワーク、すなわち、ＢＳＳおよび／またはＭＳＣは、特定のＭＳに、ＭＳの近辺内のネットワークリソースに関する情報、ならびにネットワークがＭＳから予期する測定報告のコンテンツに関する情報を提供する。
【００３６】
この情報を使用して、ＭＳは、近傍セルリストおよびＥ−ＵＴＲＡＮ近傍セルリスト内に列挙されるセルの有効範囲の質に対する測定を行う。無線アクセス技術毎に、一組の測定量が定義され、測定量は、特定のセルによって提供される信号対雑音比および／またはチャネル電力を示し得る。ＵＴＲＡＮ  ＦＤＤセルの場合、測定量は、ＣＰＩＣＨ  Ｅｃ／ＮｏおよびＣＰＩＣＨ  ＲＳＣＰ（受信信号コード電力）であり得る。ＣＰＩＣＨ  Ｅｃ／Ｎｏ（共通パイロットチャネルＥｃ／Ｎｏ）パラメータは、変調ビットあたりのエネルギー対雑音スペクトル密度の比率を示す。これらの量に関する測定要件は、参照することによって組み込まれる、３ＧＰＰ  ＴＳ  ２５．１３３において定義される。ＵＴＲＡＮ  ＴＤＤセルの場合、測定量は、Ｐ−ＣＣＰＣＨ  ＲＳＣＰ（プライマリ共通制御物理チャネル、受信信号コード電力）であり得る。この量に関する測定要件は、参照することによって組み込まれる、３ＧＰＰ  ＴＳ  ２５．１２３において定義される。ＣＤＭＡ２０００セルの場合、測定量は、パイロットのＰＩＬＯＴ＿ＳＴＲＥＮＧＴＨであり得る。この量の測定要件は、参照することによって組み込まれる、ＴＩＡ／ＥＩＡ／ＩＳ−２０００−５−Ａにおいて定義される。Ｅ−ＵＴＲＡＮ  ＦＤＤセルの場合、測定量は、ＲＳＲＰ（プライマリ共通制御物理チャネル）およびＲＳＲＱ（基準信号受信品質）であり得る。これらの量の対する測定要件は、参照することによって組み込まれる、３ＧＰＰ  ＴＳ３６．１３３において定義される。
【００３７】
ＭＳは、上述の測定量の値を測定し、測定量が所定の閾値を超えるかどうかを決定する。典型的には、これらの所定の閾値のうちの１つ以上を超える、近傍リスト／Ｅ−ＵＴＲＡＮ近傍リストからのセルのみが、ＭＳによって報告される。一例として、ＵＴＲＡＮ  ＦＤＤの場合、閾値ＦＤＤ＿ＲＥＰＯＲＴＩＮＧ＿ＴＨＲＥＳＨＯＬＤ以上の報告される値（ＣＰＩＣＨ  Ｅｃ／ＮｏまたはＣＰＩＣＨ  ＲＳＣＰ）および別の閾値ＦＤＤ＿ＲＥＰＯＲＴＩＮＧ＿ＴＨＲＥＳＨＯＬＤ＿２以上の報告されない値（ＣＰＩＣＨ  Ｅｃ／ＮｏおよびＣＰＩＣＨ  ＲＳＣＰから）を伴うセルのみが報告され得る。ＵＴＲＡＮ  ＴＤＤの場合、ＴＤＤ＿ＲＥＰＯＲＴＩＮＧ＿ＴＨＲＥＳＨＯＬＤ以上の、報告される値（Ｐ−ＣＣＰＣＨ  ＲＳＣＰ）を伴うセルのみが、報告され得る。Ｅ−ＵＴＲＡＮ  ＦＤＤまたはＥ−ＵＴＲＡＮ  ＴＤＤの場合、６ビットの測定報告に使用される時、Ｅ−ＵＴＲＡＮ＿ＦＤＤ＿ＲＥＰＯＲＴＩＮＧ＿ＴＨＲＥＳＨＯＬＤまたはＥ−ＵＴＲＡＮ＿ＴＤＤ＿ＲＥＰＯＲＴＩＮＧ＿ＴＨＲＥＳＨＯＬＤ以上の報告される値（ＲＳＲＰまたはＲＳＲＱ）を伴うセル、ならびにＥ−ＵＴＲＡＮ＿ＦＤＤ＿ＲＥＰＯＲＴＩＮＧ＿ＴＨＲＥＳＨＯＬＤ＿２、またはＥ−ＵＴＲＡＮ＿ＴＤＤ＿ＲＥＰＯＲＴＩＮＧ＿ＴＨＲＥＳＨＯＬＤ＿２以上の報告されない値（ＲＳＲＰおよびＲＳＲＱから）を伴うセルのみが、それぞれ報告され得る。３ビットの測定報告が使用される場合、Ｅ−ＵＴＲＡＮ＿ＦＤＤ＿ＭＥＡＳＵＲＥＭＥＮＴ＿ＲＥＰＯＲＴ＿ＯＦＦＳＥＴまたはＥ−ＵＴＲＡＮ＿ＴＤＤ＿ＭＥＡＳＵＲＥＭＥＮＴ＿ＲＥＰＯＲＴ＿ＯＦＦＳＥＴ以上の測定値（ＲＳＲＰおよびＲＳＲＱ）を伴うセル、ならびにＥ−ＵＴＲＡＮ＿ＦＤＤ＿ＲＥＰＯＲＴＩＮＧ＿ＴＨＲＥＳＨＯＬＤ＿２またはＥ−ＵＴＲＡＮ＿ＴＤＤ＿ＲＥＰＯＲＴＩＮＧ＿ＴＨＲＥＳＨＯＬＤ＿２以上の報告されない値（ＲＳＲＰまたはＲＳＲＱ）を伴うセルのみが、それぞれ報告され得る。
【００３８】
測定報告をＭＳからネットワークに送信するよう要求される帯域幅を制限するために、典型的には、制限された数のセルのみが測定報告内に報告されることができる。このセルの制限数は、最大セル報告数と称される。一例として、測定報告は、最大６つの異なるセルから報告を保持することができ、すなわち、最大セル報告数は６であり得る。この限定に起因して、近傍セルリストの異なるリストから測定報告に対するセルの適切な選択が、行われるべきである。
【００３９】
報告は、以下の通り構成され得る。第１のステップ（ステップ１）では、ＸＸＸ＿ＭＵＬＴＩＲＡＴ＿ＲＥＰＯＲＴＩＮＧ＞０であるセル、ならびにそれに対するそれぞれの測定量がある閾値を超えるセルが、測定報告内に含まれ得る。言い換えると、ＭＳによって報告されるべきＲＡＴ、すなわち、セルが、決定され得る。（それぞれの無線アクセス技術に対するパラメータＸＸＸ＿ＭＵＬＴＩＲＡＴ＿ＲＥＰＯＲＴＩＮＧ＞０によって示されるような）。続いて、それぞれの無線アクセス技術に関連付けられた近傍セルリストからのセルに対する測定量が、決定される。測定量に対して１つ以上の所定の閾値を超えるセルのみが、ＭＳによって報告されるべきである。すなわち、ＭＳは、それに対する測定量がある閾値を超える数ＸＸＸ＿ＭＵＬＴＩＲＡＴ＿ＲＥＰＯＲＴＩＮＧのセルを選択する。
【００４０】
第２のステップ（ステップ２）では、依然として、報告内に未使用の位置がある場合、（すなわち、第１のステップにおいて選択されるセルの数が、最大セル報告数を超えない場合）、ＭＳの近傍内の最良のＧＳＭ（登録商標）セルが報告に追加され得る。
【００４１】
最後に、第３のステップ（ステップ３）では、第２のステップ後、報告内に、依然として残存位置がある場合、残存位置は、それに対するパラメータＸＸＸ＿ＭＵＬＴＩＲＡＴ＿ＲＥＰＯＲＴＩＮＧがゼロではない、他の無線アクセス技術における次の最良な有効セル（すなわち、第１のステップの閾値要件を満たすそれらのセル）であって、ＸＸＸ＿ＭＵＬＴＩＲＡＴ＿ＲＥＰＯＲＴＩＮＧのセルは、既にそのＲＡＴに含まれるため、それは第１のステップに含まれていないものを報告するために使用され得る。これは、測定報告が、第３のステップが実行される場合、パラメータＸＸＸ＿ＭＵＬＴＩＲＡＴ＿ＲＥＰＯＲＴＩＮＧで示されるよりも、あるＲＡＴにおいて、大きいセルの数を備え得ることを意味する。
【００４２】
ＭＳが、２つ以上のＲＡＴ（例えば、ＵＴＲＡＮ  ＦＤＤおよびＥ−ＵＴＲＡＮ）の測定セルであって、報告要件（すなわち、所定の閾値を超える測定量を有する）を充足するセルの数が、測定報告内で利用可能な位置の数（すなわち、報告数）より大きい時、上述のルールは、これらのセルのどれをＭＳが測定報告内に含むべきかを規定しない。この問題は、２つの状況で起こり得る。上述のセル報告プロシージャの第１のステップにおいて、最大セル報告数よりも大きいセルの数が報告要件を充足する場合、これらのセルのうちの、最大セル報告数（例えば、サイズ６の）に対応するどのサイズのサブセットを、ＭＳが報告内に含むべきかを規定しない。同様に、上述のセル報告プロシージャの第３のステップにおいて、利用可能な位置より報告されるべきより多くのセルがある場合、どのセルが報告内に含まれるべきかが規定されていない。
【００４３】
これらの問題は、典型的には、ネットワークがパラメータＸＸＸ＿ＭＵＬＴＩＲＡＴ＿ＲＥＰＯＲＴＩＮＧの値をブロードキャストするので、典型的ネットワーク配備／設定において起こり得る。その結果、ブロードキャストされるパラメータ値は、異なるＭＳによってサポートされるＲＡＴ／モードのセットに関わりなく、ブロードキャストされるパラメータ値を受信する全てのＭＳによって使用され得る。これは、大きい数のＲＡＴ／モードをサポートするデバイスの場合、上述の報告プロシージャの第１のステップの要件を満たすセルの数、および／または異なるパラメータＸＸＸ＿ＭＵＬＴＩＲＡＴ＿ＲＥＰＯＲＴＩＮＧの値の合計が、測定報告内に報告されるべきセルの数を超え得ることを意味する。一例として、ネットワークは、デュアルモードＧＳＭ（登録商標）／ＵＴＲＡＮ−ＴＤＤデバイス（それぞれ、ＧＳＭ（登録商標）／ＵＴＲＡＮ−ＦＤＤデバイス）が、可能ならば、３つのＵＴＲＡＮセルを報告し、したがって、パラメータＴＤＤ＿ＭＵＬＴＩＲＡＴ＿ＲＥＰＯＲＴＩＮＧ＝３を示す（それぞれ、ＦＤＤ＿ＭＵＬＴＩＲＡＴ＿ＲＥＰＯＲＴＩＮＧ＝３）となることを所望し得る。さらに、デュアルモードＧＳＭ（登録商標）／Ｅ−ＵＴＲＡＮデバイスが、可能ならば、２Ｅ−ＵＴＲＡＮセルを報告し、したがって、パラメータＥ−ＵＴＲＡＮ＿ＭＵＬＴＩＲＡＴ＿ＲＥＰＯＲＴＩＮＧ＝２を示すことを所望し得る。しかしながら、これらの値は、典型的には、マルチモードＧＳＭ（登録商標）／ＵＴＲＡＮ  ＴＤＤ／ＵＴＲＡＮ  ＦＤＤ／Ｅ−ＵＴＲＡＮデバイスによってもまた、使用され、したがって、最大８つのセル（すなわち、３つのＵＴＲＡＮ  ＴＤＤセル＋３つのＵＴＲＡＮ  ＦＤＤセル＋２つのＥ−ＵＴＲＡＮセル）まで報告するために、６つの位置のみ見出され得る。
【００４４】
以下において、セルのサブセットを選択する異なる方法が、述べられるであろう。報告されるべきセルの選択を行うために可能な方法は、異なる無線アクセス技術／モードにおける、受信される信号レベルの測定の比較に基づき得る。これは、異なるＲＡＴ／モードに関連付けられた異なるセルの測定量に対して得られる値が、相互に比較され得ることを意味する。選択はまた、異なる無線アクセス技術／モードにおいて受信される信号のレベルと受信される信号の質との比較に基づき得る。
【００４５】
これらの解決策の主な短所は、比較が、異なる無線アクセス技術／モードにわたる測定結果に基づいて行われることである。しかしながら、異なる無線アクセス技術／モードに対する測定量は、比較可能でなくてもよい。特に、比較のための提案される値の１つ、すなわち、第１のＲＡＴ／モードにおける測定量の１つが、第２のＲＡＴ／モードにおける比較のために提案される値よりも、より大きい場合、第１のＲＡＴ／モードにおけるセルは、第２のＲＡＴ／モードのセルよりも、より「好適」であるという証拠はない。言い換えると、測定結果から得られるどんな測定基準も、異なるＲＡＴ／モードのセルに対して、直接比較可能であることは実証されていない。
【００４６】
上述の報告プロシージャに伴うリスクは、単純に、それらのセルの測定量の関連する値が、それらの他のＲＡＴと比較されるため、測定報告基準を満たす、そのＲＡＴに対する１つ以上のセルがあるにも関わらず、それらが、報告されるべき所与のＲＡＴにおいて、セルを生じさせない場合があることである。ネットワークが、この特定のＲＡＴに対するハンドオーバ／セルの変更命令を行うための特定の選択を有する場合、ネットワークは、このＲＡＴのセルに関する測定報告を受信しない場合は、適切な標的セルを決定することができない場合がある。
【００４７】
したがって、ＭＳによって報告されるべきセルを選択するための代替方法が、望ましい。これらの方法は、上述の短所を避けるべきである。特に、これらの方法は、ＭＳによってサポートされる異なるＲＡＴにわたる適切な報告を保証するべきである。これらの代替方法の根底原理は、報告されるべきセルに関する選択が、報告されるべきセルの要求される数（例えば、パラメータＸＸＸ＿ＭＵＬＴＩＲＡＴ＿ＲＥＰＯＲＴＩＮＧによって示されるような）に基づくことである。さらに、特定のＲＡＴのセルの選択は、他のＲＡＴに関連付けられた測定量から独立するべきである。特に、この特定のＲＡＴ／モードに関連付けられたセルを選択する場合、同一ＲＡＴ／モードに関する測定量のみ、考慮されるべきである。
【００４８】
第１、第２、および第３のステップを含む上述のセルＲＥＰＯＲＴＩＮＧプロシージャは、以下で説明されるように、改正され得る。上述のプロシージャの第１のステップ（ステップ１）は、測定報告内に、それに対するある一定の測定量が閾値を超え、かつそれに対するパラメータＸＸＸ＿ＭＵＬＴＩＲＡＴ＿ＲＥＰＯＲＴＩＮＧがゼロではない、ＲＡＴ／モードのセルを含むことを含む。
【００４９】
この第１のステップにおける測定報告に含まれるべきセルは、以下のプロシージャに従って選択され得る。
・ステップ１．１：ＲＡＴ／モード毎に、最良の有効セルが、報告内に含まれる。
・ステップ１．２：報告内にさらに利用可能な位置がある場合、かつさらに利用可能な報告されるべきセルがある場合、ＭＳは、各ＲＡＴ／モードに関する次の最良のセルを報告する。ＭＳが測定報告内の残存位置よりも多くの報告すべきセルを有する場合、優先順位は、より大きいＸＸＸ＿ＭＵＬＴＩＲＡＴ＿ＲＥＰＯＲＴＩＮＧ値を伴うＲＡＴからのセルに与えられる。ＸＸＸ＿ＭＵＬＴＩＲＡＴ＿ＲＥＰＯＲＴＩＮＧが等値の場合、ＲＡＴに関連付けられたセルに与えられる優先順位は、ＭＳ実装選択肢であり得る。
・１．３：報告の全位置が、満たされるまで（すなわち、報告の容量が消耗される）、またはこれ以上報告されるべきセルがなくなる（すなわち、ＲＡＴ／モード毎に、ＸＸＸ＿ＭＵＬＴＩＲＡＴ＿ＲＥＰＯＲＴＩＮＧに等しい数のセルが報告内に含まれている）まで、ステップ１．２を反復する。
【００５０】
数学的観点において、ステップ１．１から１．３を含む上述の選択プロシージャは、以下のように特徴付けられ得る。
・Ｘ＿Ｍ＿Ｒ（ｉ）は、ＲＡＴｉに対するＸＸＸ＿ＭＵＬＴＩＲＡＴ＿ＲＥＰＯＲＴＩＮＧの値であり、ｉ＝１，・・・，Ｎ＿ＲＡＴである。
・Ｎ＿ＲＡＴは、ＭＳによってサポートされるＲＡＴ／モードの数である
・Ｎ（ｉ）は、ＭＳがＲＡＴｉに関して測定した有効セルの数である
・Ｎ＿Ｒ（ｉ）は、ＲＡＴｉに対する報告内に含まれるセルの数である
・ＭＡＸ＿ＣＥＬＬＳ＿ＰＥＲ＿ＲＥＰＯＲＴは、報告あたりのセルの総数である（典型的には、６）
そして、選択プロシージャは、表１に示されるように記述され得る。
【００５１】
【表１】
2013543356.tif 000003
【００５２】
好ましくは、ＲＡＴの有効セルが、その測定量に従ってランク付けされ、その各反復において、まだ報告されていない最高ランク付けのＲＡＴのセルが、報告内に含まれるであろうことに留意されたい。さらに、ＸＸＸ＿ＭＵＬＴＩＲＡＴ＿ＲＥＰＯＲＴＩＮＧパラメータの値に従って、ＲＡＴをランク付けすることが、好ましい。その結果、表１の反復選択プロシージャは、最高ランク付けＲＡＴからセルを選択することを開始するであろう。
【００５３】
上述によると、上述のセル報告プロシージャの第２のステップ（ステップ２）は、依然として、報告内に利用可能な位置がある場合、ＧＳＭ（登録商標）セルの選択に関する。この第２のステップは、変更なしあり得る。
【００５４】
上述のセル報告プロシージャの第３のステップ（ステップ３）は、さらに、測定報告に、それに対する測定量が閾値を超え、かつそれに対するＸＸＸ＿ＭＵＬＴＩＲＡＴ＿ＲＥＰＯＲＴＩＮＧがゼロではない、ＲＡＴ／モードのセルを含めることに関する。この第３のステップにおける測定報告内に含まれるべきセルは、以下のプロシージャに従って、選択され得る。
・ステップ３．１：ＭＳは、各ＲＡＴ／モードに関する次の最良の有効セルを報告する。優先順位は、より大きいＸＸＸ＿ＭＵＬＴＩＲＡＴ＿ＲＥＰＯＲＴＩＮＧ値を伴うＲＡＴからのセルに与えられる。パラメータＸＸＸ＿ＭＵＬＴＩＲＡＴ＿ＲＥＰＯＲＴＩＮＧが等値の場合、選択はＭＳ実装選択肢であり得る。
・  ステップ３．２：全ての位置が満たされる（すなわち、報告の容量が消耗される）か、またはこれ以上、報告されるべきセルがなくなる（すなわち、これ以上その測定値が閾値を超えるセルがない）まで、ステップ３．１を繰り返す。
【００５５】
数学的観点において、このプロシージャは、以下のように特徴付けられ得る。
・Ｘ＿Ｍ＿Ｒ（ｉ）は、ＲＡＴｉに対するＸＸＸ＿ＭＵＬＴＩＲＡＴ＿ＲＥＰＯＲＴＩＮＧの値である。（上述のように、「ｉ」は、特定のＲＡＴｉを示す指数である）
・Ｎ（ｉ）は、ＭＳがＲＡＴｉに関して測定した有効セルの数である
・Ｎ＿Ｒ（ｉ）は、ＲＡＴｉに対する報告にあるべきことを決定されたセルの数である
・ＭＡＸ＿ＣＥＬＬＳ＿ＰＥＲ＿ＲＥＰＯＲＴは、報告あたりのセルの総数である（典型的には、６）
・Ｎ＿ＲＡＴは、ＭＳによってサポートされるＲＡＴ／モードの数である
そして、選択プロシージャは、表２に示されるように記述され得る。
【００５６】
【表２】
2013543356.tif 000004
【００５７】
表１の選択プロシージャの類似様式において、ＲＡＴの有効セルは、ＲＡＴの測定量に従って、ランク付けされ得る。さらに、ＲＡＴは、ＸＸＸ＿ＭＵＬＴＩＲＡＴ＿ＲＥＰＯＲＴＩＮＧパラメータの値に従って、ランク付けされ得る。したがって、各反復において、残存する最高ランク付けされるセルが報告内に含まれることができる。さらに、各反復は、ランク付けの降順に、異なるＲＡＴに対して、行われることができる。
【００５８】
以下では、いくつかの実施例が、改正セル報告プロシージャが作動する方法を図示するために提供されるであろう。
【００５９】
（実施例１）
報告は、近傍セルの報告のために、６つの位置を備えていることが仮定される。ＭＳの測定は、報告すべき有効ＧＳＭ（登録商標）セルがないことを検出した。ＧＳＭ（登録商標）以外に、マルチＲＡＴ  ＭＳは、ＵＴＲＡＮ  ＦＤＤ、ＵＴＲＡＮ  ＴＤＤ、およびＥ−ＵＴＲＡＮに対して有効とされる。異なるＲＡＴに対するＸＸＸ＿ＭＵＬＴＩＲＡＴ＿ＲＥＰＯＲＴＩＮＧパラメータ値は、それぞれ、Ｘ＿Ｍ＿Ｒ＝１、１、および２である。ＸＸＸ＿ＭＵＬＴＩＲＡＴ＿ＲＥＰＯＲＴＩＮＧパラメータ値に従って、優先順位は、異なるＲＡＴに割り当てられ、すなわち、それぞれ、ｉ＝３、２、１である。測定の結果として、ＭＳは、異なるＲＡＴに対して、それぞれ、Ｎ＝４、６、および８の有効セルを識別した。
【００６０】
第１のステップ（改正ステップ１．１、１．２、および１．３を含む）を実行すると、第１のＥ−ＵＴＲＡＮセル（Ｅ−ＵＴＲＡＮ近傍セルの最高測定量を有する）が、報告のために選択され、その後、ＵＴＲＡＮ  ＴＤＤおよびＵＴＲＡＮ  ＦＤＤセル（ＵＴＲＡＮ  ＴＤＤおよびＵＴＲＡＮ  ＦＤＤ近傍セル、それぞれの最高測定量を有する）が続く。続いて、第２のＥ−ＵＴＲＡＮセルが、報告のために選択される（Ｅ−ＵＴＲＡＮ近傍セルの第２の最高測定量を有する）。改正第１のステップの実行の結果として、Ｘ＿Ｍ＿Ｒ（１）＝２  Ｅ−ＵＴＲＡＮセル、Ｘ＿Ｍ＿Ｒ（２）＝１  ＵＴＲＡＮ  ＴＤＤセル、およびＸ＿Ｍ＿Ｒ（３）＝１  ＵＴＲＡＮ−ＦＤＤセルが、報告のために選択された。
【００６１】
選択されたセルの数（４）が、測定報告内の位置の数（６）よりも小さいという事実を考慮して、方法は、第２のステップの実行に移る。しかしながら、ＭＳがいずれの有効ＧＳＭ（登録商標）セルも検出しないため、方法は、改正第３のステップ（ステップ３．１および３．２を含む）に移る。最高の優先順位を有するＲＡＴが選ばれ、すなわち、Ｅ−ＵＴＲＡＮおよび第３のＥ−ＵＴＲＡＮセル（Ｅ−ＵＴＲＡＮ近傍セルの第３の最高測定量を有する）が選ばれる。最後に、次の最高優先順位を有するＲＡＴは、すなわち、ＵＴＲＡＮ  ＴＤＤが選ばれ、さらなるＵＴＲＡＮ  ＴＤＤセルが、ＲＥＰＯＲＴＩＮＧ（ＵＴＲＡＮ  ＴＤＤ近傍セルの第２の最高測定量を有する）に対して選択される。
【００６２】
したがって、３つのＥ−ＵＴＲＡＮ、２つのＵＴＲＡＮ  ＴＤＤ、および１つのＵＴＲＡＮ  ＦＤＤセルが、報告のために選択される。これは、表３ａの最終Ｎ＿Ｒ列における
「Ｘ」記号によって、図示される。「Ｘ」記号の下付き記号は、異なるセルが改正セル報告プロシージャによって選択された順番を示す。
【００６３】
【表３Ａ】
2013543356.tif 000005
【００６４】
（実施例２）
（報告内の利用可能な６つの位置を仮定し、かつ報告されるための１つの有効ＧＳＭ（登録商標）セルが、ＭＳによって検出されたと仮定する）
【００６５】
【表３Ｂ】
2013543356.tif 000006
【００６６】
（実施例３）
（報告内の６つの利用可能な位置を仮定し、かつ報告されるための１つの有効ＧＳＭ（登録商標）セルが、ＭＳによって検出されたと仮定する）
【００６７】
【表３Ｃ】
2013543356.tif 000007
【００６８】
（実施例４）
（報告内の６つの利用可能な位置を仮定し、かつ報告されるための１つの有効ＧＳＭ（登録商標）セルが、ＭＳによって検出されたと仮定する）
【００６９】
【表３Ｄ】
2013543356.tif 000008
【００７０】
（実施例５）
（報告内の６つの利用可能な位置を仮定し、かつ報告されるための１つの有効ＧＳＭ（登録商標）セルが、ＭＳによって検出されたと仮定する）。報告内に最大限を超えるまで位置の数を追加する、大きいＸＸＸ＿ＭＵＬＴＩＲＡＴ＿ＲＥＰＯＲＴＩＮＧパラメータ値のため、報告は、報告プロシージャの改正第１のステップ内で充足されることに留意されたい。その結果、報告内に含まれるＧＳＭ（登録商標）セルはない。
【００７１】
【表３Ｅ】
2013543356.tif 000009
【００７２】
実施例５から分かるように、すなわち、表３ｅでは、マルチＲＡＴ  ＭＳによってサポートされるＲＡＴに対するＸＸＸ＿ＭＵＬＴＩＲＡＴ＿ＲＥＰＯＲＴＩＮＧパラメータ値の合計が、報告内の利用可能な位置の数を超える場合、報告プロシージャは、たとえ有効ＧＳＭ（登録商標）セルが、ＭＳによって検出されるとしても、いずれのＧＳＭ（登録商標）セルも選択しないであろう。
【００７３】
代替として、または上述のセル報告プロシージャの改正に加え、したがって、報告されるべきＧＳＭ（登録商標）セルの最小数（例えば、ＭＩＮ＿ＧＳＭ（登録商標）＿ＣＥＬＬＳパラメータ）、または、同様に、報告されるべき非ＧＳＭ（登録商標）セルの最大数（例えば、ＭＡＸ＿ＮＯＮ＿ＧＳＭ（登録商標）＿ＣＥＬＬＳパラメータ）のいずれかを示す、パラメータを導入することが有益であり得る。この新しいパラメータの結果、少数の（例えば２）ＲＡＴ／モードのみをサポートするデバイスに対応する一方、より多くの（例えば３つ以上）ＲＡＴ／モードをサポートするデバイスが、ＧＳＭ（登録商標）セルを犠牲にして、非ＧＳＭ（登録商標）のみを報告するリスクを回避するために、ＸＸＸ＿ＭＵＬＴＩＲＡＴ＿ＲＥＰＯＲＴＩＮＧパラメータに対して、比較的高い値を設定およびブロードキャストすることができる。
【００７４】
実施例として、パラメータＭＩＮ＿ＧＳＭ（登録商標）＿セル＝１（報告内の利用可能な６つの位置を仮定し、かつ報告されるための１つの有効ＧＳＭ（登録商標）セルが検出されたと仮定する、ＭＩＮ＿ＧＳＭ（登録商標）＿セル＝１）を伴う、上述の実施例５の修正版を検討する。
【００７５】
報告プロシージャの改正第１のステップ（ステップ１．１、１．２、および１．３を含む）は、上述のように実行される。しかしながら、パラメータＭＩＮ＿ＧＳＭ（登録商標）＿セル＝１のため、報告の位置は、ＭＡＸ＿ＣＥＬＬＳ＿ＰＥＲ＿ＲＥＰＯＲＴからＭＩＮ＿ＧＳＭ（登録商標）＿ＣＥＬＬＳを引いた値までしか充足されない。位置の減少される数が充足される時、第１のステップは終了され、かつプロシージャは、ステップ２に移る。１つ以上の有効ＧＳＭ（登録商標）セルが検出された場合、報告の位置ＭＡＸ＿ＣＥＬＬＳ＿ＰＥＲ＿ＲＥＰＯＲＴの総数を超えられない限り、これらのセルは、報告内に含まれる。この実施例では、１つの有効ＧＳＭ（登録商標）セルが、報告に追加される。依然として報告内に位置が残存する場合、プロシージャは、改正ステップ３に移るであろう。
【００７６】
【表３Ｆ】
2013543356.tif 000010
【００７７】
図１は、セルラーネットワークに送信されるべき、測定報告に対するマルチＲＡＴ  ＭＳの近傍セルを選択するための、例示的方法２００の流れ図を図示する。開始段階では、マルチＲＡＴ  ＭＳは、確立されるべき測定報告に関して、ネットワークから、情報を受信する（例えば、現在のＢＳＳを介して）。  ステップ２０１では、マルチＲＡＴ  ＭＳは、マルチＲＡＴ  ＭＳによってサポートされる各ＲＡＴ／モードに対するＸＸＸ＿ＭＵＬＴＩＲＡＴ＿ＲＥＰＯＲＴＩＮＧパラメータ値を受信する。さらに、ステップ２０２では、ＭＳは、ＭＳによってサポートされる複数のＲＡＴ／モードに対応する近傍セルの複数のリストを受信する。近傍セルのリストは、周波数のリスト（例えば、Ｅ−ＵＴＲＡＮの場合のように）であり得ることに留意されたい。ステップ２０３では、ＭＳは、測定報告のサイズに関する情報を受信し、特にＭＡＸ＿ＧＳＭ（登録商標）＿ＣＥＬＬＳパラメータの値は、測定報告内に報告されるべきセルの最大数の値を示し、ＭＩＮ＿ＣＥＬＬＳ＿ＰＥＲ＿ＲＥＰＯＲＴパラメータは、報告されるセルの数の少なくともいくつがＧＳＭ（登録商標）セルであるべきかを示す。これらのパラメータ値またはリストの一部または全部が、ＭＳにおいて既に利用可能であり得、それによって、受信するステップを廃止し得ることに留意されたい。
【００７８】
ステップ２０４では、ＭＳは、近傍セルのリストからセルに対する測定量の決定に移る。典型的には、ＲＡＴ／モード毎に、ＭＳの接続の質を示す一組の１つ以上の測定量が、指定される。決定された測定量を使用して、有効セルの複数のサブリストが、複数のサポートされるＲＡＴ／モードに対して、それぞれ決定される。有効セルは、それに対する決定された測定量が、１つ以上の所定の閾値を超えるセルである。ステップ２０５の結果として、近傍セルのリストからの有効セルの異なるサブリストが、サポートされるＲＡＴ／モード毎に得られる。
【００７９】
ステップ２０６では、有効セルのサブリストは、決定された測定量に従って、順序付けられる。これは、ＲＡＴ／モード毎に、それぞれ行われる。言い換えると、特定のＲＡＴ／モードの有効セルの測定量の決定された値が比較され、かつ測定量の最高の値を提供するセルが、有効セルのサブリストにおいて最初に出現するように、順序付けられる。さらに、ステップ２０７では、異なるＲＡＴ／モードが、相互に対して優先順位をつけられる。優先順位をつけることは、ＸＸＸ＿ＭＵＬＴＩＲＡＴ＿ＲＥＰＯＲＴＩＮＧパラメータの受信された値に従って、行われ得る。これは、より大きい数のセルがネットワークに報告されるべきＲＡＴ／モードが、より小さい値のＸＸＸ＿ＭＵＬＴＩＲＡＴ＿ＲＥＰＯＲＴＩＮＧパラメータを有するＲＡＴ／モードよりも、高い優先順位を有するべきであることを意味する。
【００８０】
ステップ２０８では、報告されるべきセルは、反復様式において、有効セルの複数のサブリストから選択される。セルを選択するための反復プロセスは、ステップ１．１、１．２、および１．３、ならびに本書の表１において、述べられる。これは、１つずつ、最高の優先順位を有するＲＡＴ／モードを始めとして、ＲＡＴ／モードに対する報告されるセルの数が、ＸＸＸ＿ＭＵＬＴＩＲＡＴ＿ＲＥＰＯＲＴＩＮＧパラメータの値を超えない限り、かつ報告されるセルの総数が、ＭＡＸ＿ＣＥＬＬＳ＿ＰＥＲ＿ＲＥＰＯＲＴからＭＩＮ＿ＧＳＭ（登録商標）＿ＣＥＬＬＳを引く値を超えない限り、特定のＲＡＴ／モードに関連付けられたセルは、報告に追加されることを意味する。ＲＡＴ／モード毎に、まだ報告されていない有効セルのサブリストの第１のセルが、報告に追加される。言い換えると、ＲＡＴ／モード毎に、セルは、その測定量の値の降順に、報告に追加される。セルを特定のＲＡＴ／モードから追加後、方法は、上述の条件を条件として、次の低い優先順位を有するＲＡＴ／モードに移り、別のセルを追加する。これ以上低い優先順位を有するＲＡＴ／モードがない場合、方法は、高い優先順位を有するＲＡＴ／モードを再開する。全ＲＡＴ／モードに対して、報告されるセルの数が、対応するＸＸＸ＿ＭＵＬＴＩＲＡＴ＿ＲＥＰＯＲＴＩＮＧパラメータの値に等しい場合、または報告されるセルの数がＭＡＸ＿ＣＥＬＬＳ＿ＰＥＲ＿ＲＥＰＯＲＴからＭＩＮ＿ＧＳＭ（登録商標）＿ＣＥＬＬＳを引く値に等しい場合、ステップ２０８は終了される。
【００８１】
ステップ２０９は、上述の報告プロシージャの第２のステップに対応し、かつ有効ＧＳＭ（登録商標）セルの決定を含み得る。有効ＧＳＭ（登録商標）セルは、報告内のセルの最大数が、すなわち、ＭＡＸ＿ＣＥＬＬＳ＿ＰＥＲ＿ＲＥＰＯＲＴが達成されない限り、報告に追加される。
【００８２】
ステップ２０９の後、報告されるセルの数が、ＭＡＸ＿ＣＥＬＬＳ＿ＰＥＲ＿ＲＥＰＯＲＴより小さい、すなわち、報告されるセルの最大数より小さい場合、さらに有効セルのサブリストのセルが、報告に追加され得る。これは、上述のステップ３．１および３．２、ならびに表２に従って、反復的に行われ得る。高い優先順位を有するＲＡＴ／モードを始めとして、１つずつ、報告にまだ追加されていない、サブリストの最高のランク付けセルは、ＭＡＸ＿ＣＥＬＬＳ＿ＰＥＲ＿ＲＥＰＯＲＴの最大まで、報告に追加されるであろう。
【００８３】
次に、図２を参照すると、示されるのは、例えば、本開示において述べられる方法のいずれかを実装し得る、移動局、ユーザ機器または無線デバイス１００のブロック図である。
処理デバイス（マイクロプロセッサ１２８）は、キーボード１１４とディスプレイ１２６との間に連結されるように、図式的に示される。マイクロプロセッサ１２８は、ディスプレイ１２６の動作を制御し、ならびにユーザによるキーボード１１４上のキーの作動に応答して、無線デバイス１００の全体的動作を制御する。
【００８４】
デバイス１００は、垂直に伸長し得、または他のサイズおよび形状（クラムシェル筐体構造を含む）をとり得る、筐体を有する。キーボード１１４は、モード選択キー、あるいはテキスト入力と電話入力との間の切り替えのための他のハードウェアまたはソフトウェアを含み得る。
【００８５】
マイクロプロセッサ１２８に加え、無線デバイス１００の他の部品が、図式的に示される。これらは、通信サブシステム１７０と、短距離通信サブシステム１０２と、一組のＬＥＤ１０４、一組の補助Ｉ／Ｏデバイス１０６、シリアルポート１０８、スピーカ１１１、およびマイクロホン１１２を含む、他の入力／出力デバイスを伴う、キーボード１１４およびディスプレイ１２６と、フラッシュメモリ１１６およびランダムアクセスメモリ（ＲＡＭ）１１８を含むメモリデバイスと、種々の他のデバイスサブシステム１２０とを含む。無線デバイス１００は、無線デバイス１００の能動的要素に動力供給するための、バッテリ１２１を有し得る。無線デバイス１００は、いくつかの実施形態では、音声およびデータ通信能力を有する双方向無線周波数（ＲＦ）通信デバイスである。加えて、無線デバイス１００は、いくつかの実施形態では、インターネットを介して、他のコンピュータシステムと通信する能力を有する。
【００８６】
マイクロプロセッサ１２８によって実行されるオペレーティングシステムソフトウェアは、いくつかの実施形態では、フラッシュメモリ１１６等、持続的記憶装置において記憶されるが、読取専用メモリ（ＲＯＭ）または類似記憶要素等、他のタイプのメモリデバイスにおいて、記憶され得る。加えて、システムソフトウェア、専用デバイスアプリケーション、またはその部品は、一時的に、ＲＡＭ１１８のような揮発性記憶装置にロードされ得る。無線デバイス１００によって受信される通信信号はまた、ＲＡＭ１１８にも記憶され得る。
【００８７】
マイクロプロセッサ１２８は、そのオペレーティングシステム機能に加え、無線デバイス１００におけるソフトウェアアプリケーションの実行を可能にする。音声通信モジュール１３０Ａおよびデータ通信モジュール１３０Ｂ等、基本デバイス動作を制御する所定の一組のソフトウェアアプリケーションは、製造の間、無線デバイス１００にインストールされ得る。加えて、パーソナルインフォメーションマネージャ（ＰＩＭ）アプリケーションモジュール１３０Ｃもまた、製造の間、無線デバイス１００にインストールされ得る。ＰＩＭアプリケーションは、いくつかの実施形態では、電子メール、行事予定、音声メール、予約、およびタスク項目等、データ項目を整理ならびに管理する能力がある。ＰＩＭアプリケーションはまた、いくつかの実施形態では、無線ネットワーク１１０を介して、データ項目を送信および受信する能力がある。いくつかの実施形態では、ＰＩＭアプリケーションによって管理されるデータ項目は、記憶される、またはホストコンピュータシステムに関連付けられる、デバイスユーザの対応するデータ項目と、無線ネットワーク１１０を介して、シームレスに統合、同期、および更新される。同様に、別のソフトウェアモジュール１３０Ｎとして図示される、付加的ソフトウェアモジュールも、製造の間、インストールされ得る。
【００８８】
データおよび音声通信を含む通信機能は、通信サブシステム１７０を通して、および可能性として、短距離通信サブシステム１０２を通して、行われる。通信サブシステム１７０は、受信機１５０と、送信機１５２と、受信アンテナ１５４および送信アンテナ１５６として図示される、１つ以上のアンテナを含む。加えて、通信サブシステム１７０はまた、デジタル信号プロセッサ（ＤＳＰ）１５８等、処理モジュールと、局部発振器（ＬＯ）１６０とを含む。送信機１５２および受信機１５０を有する通信サブシステム１７０は、詳細に上述される、実施形態のうちの１つ以上を実装するための機能性を含む。通信サブシステム１７０の具体的設計および実装は、その中で無線デバイス１００が動作するように意図される通信ネットワークに依存する。例えば、無線デバイス１００の通信サブシステム１７０は、ＭｏｂｉｔｅｘＴＭ、ＤａｔａＴＡＣＴＭ、ＧＥＲＡＮ、または汎用パケット無線サービス（ＧＰＲＳ）モバイルデータ通信ネットワークと協働するように設計され、また、高度携帯電話サービス（ＡＭＰＳ）、時分割多重接続（ＴＤＭＡ）、符号分割多重アクセス（ＣＤＭＡ）、パーソナル通信サービス（ＰＣＳ）、モバイル通信用グローバルシステム（ＧＳＭ（登録商標））等、種々の音声通信ネットワークのいずれかと協働するように設計され得る。ＣＤＭＡの実施例は、１Ｘおよび１ｘＥＶ−ＤＯを含む。したがって、無線デバイス１００は、ＵＴＲＡＮ−ＴＤＤ、ＵＴＲＡＮ−ＦＤＤ、Ｅ−ＵＴＲＡＮ、ＣＤＭＡ２０００等、複数の無線アクセス技術をサポートし得る。通信サブシステム１７０はまた、８０２．１１Ｗｉ−Ｆｉネットワーク、および／または８０２．１６ＷｉＭＡＸネットワークと協働するように設計され得る。他のタイプのデータおよび音声ネットワークはまた、別個のならびに統合されたもの両方とも、無線デバイス１００とともに利用され得る。
【００８９】
ネットワーク登録または起動プロシージャが完了された時、無線デバイス１００は、通信ネットワーク１１０を経由して、通信信号を送信および受信し得る。受信アンテナ１５４によって通信ネットワーク１１０から受信される信号は、受信機１５０に送られ、信号増幅、周波数下方交換、フィルタリング、チャネル選択等のために提供され、ならびにまたデジタル変換のためにアナログを提供し得る。受信信号のアナログ―デジタル変換は、ＤＳＰ１５８が復調および複合等、より複雑な通信機能を行うことを可能にする。同様に、ネットワーク１１０に送信されるべき信号は、ＤＳＰ１５８によって処理され（例えば、変調およびコード化される）、次いで、送信機１５２に、デジタルからアナログへの変換、周波数上方変換、フィルタリング、増幅、および通信ネットワーク１１０（または、複数のネットワーク）に提供され、送信アンテナ１５６を介して、伝送するために提供される。
【００９０】
処理通信信号に加えて、ＤＳＰ１５８は、受信機１５０および送信機１５２の制御を提供する。例えば、受信機１５０および送信機１５２において、通信信号に適用される利得は、ＤＳＰ１５８に実装される、自動利得制御アルゴリズムを通して、適応的に制御され得る。
【００９１】
短距離通信サブシステム１０２は、必ずしも類似デバイスである必要はない、無線デバイス１００と他の近接システムまたはデバイスとの間で、通信を可能にする。例えば、短距離通信サブシステムは、赤外線デバイスならびに関連付けられた回路および構成要素、または同様に有効にされるシステムおよびデバイスとの通信を提供するためのＢｌｕｅｔｏｏｔｈ（登録商標）通信モジュールを含み得る。
【００９２】
いくつかの実装では、無線デバイス１００は、それがＣＳ（回線交換）とＰＳ（パケット交換の）通信との両方に従事できるように、ならびに継続の損失なしに、通信のあるモードから通信の別のモードに遷移することができるように、複数のモードにおいて動作する能力がある。他の実装も、可能である。
【００９３】
特定の実施形態では、対応する基地局１１０に測定報告を提供するための上述の方法のうちの１つ以上は、通信サブシステム１７０、マイクロプロセッサ１２８、ＲＡＭ１１８、およびデータ通信モジュール１３０Ｂによって実装され、本明細書に説明される方法のうちの１つを実装するように、集合的に、適切に構成される。
【００９４】
図３は、その範囲内で上述される実施形態のうちの１つ以上が実装され得るシステムのブロック図である。ネットワークデバイスまたは基地局３１０によって表される、ネットワークと無線通信する移動局３００がある。図１１に照らして述べられるように、移動局３００は、少なくとも１つのアンテナ３０２と、送信機３０２と、受信機３０４（送受信機として一緒に実装され得る）と、コントローラ３０８とを有する。ネットワークデバイスまたは基地局３１０は、少なくとも１つのアンテナ３１４と、送信機３１６と、受信機３１８（送受信機として一緒に実装され得る）と、コントローラ３２０とを有する。コントローラ３０８、３２０は、ハードウェア、ソフトウェア、およびハードウェアの組み合わせ、例えば、プロセッサ上で作動するソフトウェアで実装され得る。
【００９５】
本書において、マルチＲＡＴ  ＭＳの測定報告を生成するためのいくつかの方法およびシステムが、説明された。説明される方法は、どのセルが報告されるべきかを決定する時、ＲＡＴ間比較を使用しない。さらに、説明される方法は、可能な限り、ＲＡＴ毎に、それに対する報告されるべき利用可能な有効セルがあり、かつそれに対するＸＸＸ＿ＭＵＬＴＩＲＡＴ＿ＲＥＰＯＲＴＩＮＧ＞０である、少なくとも１つのセルが報告されることを保証する。これは、測定量の値のため、１つ以上のＲＡＴが完全に報告から除外されるであろう、潜在的な問題を回避する。さらに、説明される方法は、非ＧＳＭ（登録商標）セルの報告が、ＧＳＭ（登録商標）セルの報告を妨害しないように保証するために使用されることができる。
【００９６】
本書で説明される方法およびシステムは、ソフトウェア、ファームウェアおよび／またはハードウェアとして、実装され得る。ある構成要素は、例えば、デジタル信号プロセッサまたはマイクロプロセッサ上で作動するソフトウェアとして、実装され得る。他の構成要素は、例えば、ハードウェアとして、または特定用途向け集積回路として、実装され得る。説明される方法およびシステムにおいて遭遇される信号は、ランダムアクセスメモリまたは光学記憶媒体等、媒体上で記憶され得る。それらは、無線ネットワーク、衛星ネットワーク、または無線ネットワーク等、ネットワークを介して、伝達され得る。本書において説明される方法およびシステムを使用する典型的デバイスは、携帯電話またはスマートフォン等、移動局である。ネットワークの側面上、方法およびシステムは、基地局機器で使用され得る。
【図１】
2013543356.tif 000011
【図２】
2013543356.tif 000012
【図３】
2013543356.tif 000013
【国際調査報告】
2013543356.tif 000014
2013543356.tif 000015